(57)【要約】  【課題】  机天板の前縁に衝突して傷つくことを防止するための、椅子１に設けたプロテクター１３を強固に固定、且つ取付け高さを変更できるようにする。  【解決手段】  プロテクター１３を椅子の側枠体２の前側の第２部材２ｂに固定するに際して、当該第２部材２ｂの適宜高さ位置の前側面ＦＳには、係合突起の一例としての細長い突条１５が嵌合できる取付け孔としての上下に長い嵌合溝１７が予め凹み形成され、。この嵌合溝１７にその上下長さより短い前記突条１５を押し込み固定する。さらに強固に固定するため、プロテクター１３の内面が第２部材２ｂの外側面ＯＳ及び前側面ＦＳに当接させた後、内側面ＩＳ側からねじ込んだビス（ネジ）１９を少なくとも突条１５に到達させるか、ビス（ネジ）１９の先端が突条１５を貫通させるようにする。  【選択図】  図５
2006014986.tif 000002
【特許請求の範囲】
【請求項１】
椅子における座板の左右両側に立設した側枠体の周面にそれぞれ設けられたプロテクターは、前記側枠体の少なくとも前面と外面との一部を覆い、且つ前記側枠体の内側面から前記座板側に突出させないように形成され、
前記プロテクターは前記側枠体に固定手段を介して固定されていることを特徴とする椅子。
【請求項２】
前記プロテクターは、前記側枠体の高さ方向に沿って取付け位置調節可能に構成されていることを特徴とする請求項１に記載の椅子。
【請求項３】
前記プロテクターには、前記側枠体の前面に凹み形成された取付け孔に嵌合する係合突起が備えられていることを特徴とする請求項１または２に記載の椅子。
【請求項４】
椅子における座板の左右両側に立設した側枠体の周面にそれぞれ設けられたプロテクターは、前記側枠体の前面と内外両面との一部を覆い、且つ前記側枠体の内側面から前記座板側に突出させないように形成され、
前記プロテクターは前記側枠体に固定手段を介して固定されていることを特徴とする椅子。
【請求項５】
椅子における座板の左右両側に立設した側枠体の周面にそれぞれ設けられたプロテクターは、前記側枠体の外側面もしくは内側面との接触端縁部位の厚さが薄くなるように断面傾斜状に形成されていること特徴とする椅子。
【発明の詳細な説明】
【技術分野】
【０００１】
本発明は、児童用等の椅子の構成に係り、より詳しくは、机天板の縁との衝突で椅子の側枠体が傷つくことを防止できるプロテクターの構造に関するものである。
【背景技術】
【０００２】
従来、椅子における座体板部分を机の下方に押し入れたときに、この椅子の側枠（座板より上方にあって、背凭の左右両側を支持する側枠体、背凭支柱ともいう）の前面が机天板の前縁に衝突して、当該机天板の前縁や椅子の側枠体が傷つくの防止するためのプロテクターとして、特許文献１では、側枠体（背凭支柱）の周面に対して着脱自在に被嵌させて固定するようにした断面コ字型に形成されたプロテクター（保護具）であって、このプロテクターは硬質合成樹脂にて一体成形されている。そして、側枠体（背凭支柱）の周面に対して挟み付けるプロテクターの両端部には、側枠体（背凭支柱）の周面に被嵌するときに当該周面を傷つけないように断面が円形等の突起部が一体的に形成されているものであった。
【特許文献１】特開平１０−２１５９６８号公報（図１〜図７参照）
【発明の開示】
【発明が解決しようとする課題】
【０００３】
しかしながら、前記従来の構成のプロテクターは、側枠体（背凭支柱）の周面に被嵌させているだけであり、且つ、プロテクターの両端の突起部が側枠体（背凭支柱）の周面から外に突出しているため、着座者の衣服等の外の物が前記突起部に当たったとき等に、その突起部箇所から、プロテクターが外れて脱落したり、固定位置がずれ易いという問題があった。
【０００４】
本発明はこの問題を解消できる椅子を提供することを目的とするものである。
【課題を解決するための手段】
【０００５】
前記目的を達成するため、請求項１に記載の発明は、椅子における座板の左右両側に立設した側枠体の周面にそれぞれ設けられたプロテクターは、前記側枠体の少なくとも前面と外面との一部を覆い、且つ前記側枠体の内側面から前記座板側に突出させないように形成され、前記プロテクターは前記側枠体に固定手段を介して固定されているものである。
【０００６】
請求項２に記載の発明は、請求項１に記載の椅子において、前記プロテクターは、前記側枠体の高さ方向に沿って取付け位置調節可能に構成されているものである。
【０００７】
請求項３に記載の発明は、請求項１または２に記載の椅子において、前記プロテクターには、前記側枠体の前面に凹み形成された取付け孔に嵌合する係合突起が備えられているものである。
【０００８】
請求項４に記載の発明は、椅子における座板の左右両側に立設した側枠体の周面にそれぞれ設けられたプロテクターは、前記側枠体の前面と内外両面との一部を覆い、且つ前記側枠体の内側面から前記座板側に突出させないように形成され、前記プロテクターは前記側枠体に固定手段を介して固定されているものである。
【０００９】
請求項５に記載の発明は、椅子における座板の左右両側に立設した側枠体の周面にそれぞれ設けられたプロテクターは、前記側枠体の外側面もしくは内側面との接触端縁部位の厚さが薄くなるように断面傾斜状に形成されているものである。
【発明の作用・効果】
【００１０】
請求項１に記載の発明によれば、椅子の座板を机天板の下方に押し込むように椅子を前進させたとき、側枠体前面に固定されたプロテクターが机天板の前縁に当接するので、当該机天板の前縁表面及び側枠体の前面が傷つかず、また大きな衝突音も発生しない。また、本発明に係るプロテクターは少なくとも側枠体の前面及び外側面の一部を覆うように配置されているので、椅子を斜めに押し込んだ場合にも、前記前面及び外側面とのコーナ部がプロテクターで保護されることになり、傷付かないのである。
【００１１】
しかも、本発明に係るプロテクターはいずれも、椅子の平面視において座板側に突出していない、即ち側枠体の内側面から突出していないから、座板から立ち上がる人の衣服や皮膚等が前記プロテクターの内側側の端縁に引っ掛かることがないという効果を奏する。      
【００１２】
請求項２に記載の発明によれば、前記プロテクターは、前記側枠体の高さ方向に沿って取付け位置調節可能に構成されているから、相手側の部材（机天板）の高さに対応させて、プロテクターの取付け高さを変更すればよ良い。
【００１３】
請求項３に記載の発明によれば、請求項１または２に記載の椅子の発明による効果に加えて、前記プロテクターには、前記側枠体の前面に凹み形成された取付け孔に嵌合する係合突起が備えられているものであるから、プロテクターは取付け高さ一定または取付け高さ調節可能のいずれであっても、強固に固定することができて、外力によって不用意にプロテクターが外れない。
【００１４】
請求項４に記載の発明によれば、プロテクターは断面コ字型に形成されて、前記側枠体の前面と内外両面との一部を覆っているが、前記側枠体の内側面から前記座板側に突出させないように形成されているので、この構成によっても、座板から立ち上がる人の衣服や皮膚等が前記プロテクターの内側側の端縁に引っ掛かることがないという効果を奏する。      
【００１５】
請求項５に記載の発明によれば、前記プロテクターは、前記側枠体の外側面もしくは内側面との接触端縁部位の厚さが薄くなるように断面傾斜状に形成されているものであるから、プロテクターの前記側枠体の前面側の幅寸法が当該側枠体の幅寸法より大きいように形成されていても、座板から立ち上がる人の衣服や皮膚等が前記プロテクターの内側側の端縁に引っ掛かることがないという効果を一層高めることができる。
【発明を実施するための最良の形態】
【００１６】
次に、本発明を児童用椅子に適用した最良の実施形態を図面に基づいて説明する。
【００１７】
(1).第１実施形態（図１〜図６）
図１〜図６は第１実施形態を示しており、このうち図１は椅子１の左側面図、図２は正面、図３は図２の III−III 線矢視断面図である。
【００１８】
椅子１は、左右一対の木製の側枠体２と、これら左右両側枠体２の間に配置した木製の座板３と、左右側枠体２の上端間に装架した背もたれ４とを備えている。前記左右側枠体２は、床面に接地または近接するように、ほぼ水平で前後に延びる第１部材２ａと、この第１部材２ａの前部から後向き傾斜状に立設させた第２部材２ｂと、第２部材２ｂの高さの中途部から第１部材２ａの後端部の間を連結する第３部材２ｃとで側面視略三角形状に形成されている。側枠体２は側面視の形状及び断面形状は種々に設定できる。なお、実施形態では、第１部材２ａの下面にキャスター６が設けられている。
【００１９】
左右側枠体２の前側部材である第２部材２ｂ間には足載せ板５を装架している。足載せ板５は、第２部材２ｂの内面に複数段で形成した水平溝８ａに嵌め込まれており、左右両第２部材２ｂの外面から固定用ビス８にて脱落しないように固定されている。従って、足載せ板５は溝８ａの段数だけ高さ調節できる。左右側枠体２の下端部は、前後一対の補強杆７で連結されている。なお、前後補強杆７の間に載置板９を固定して、物品載置部としている。
【００２０】
左右側枠体２における第２部材２ｂと第３部材２ｃとに、適宜上下間隔で複数の取付け孔１０が穿設されおり、それらの同じ高さ位置の取付け孔１０に外面から差し込む取付けビス１１を介して座板３が取付け高さ調節可能に構成されている。
【００２１】
背もたれ４も左右一対の第２部材２ｂの内面間に配置されて、複数本のビス１２に梃低されている。
【００２２】
次に本発明のプロテクター１３の構成について詳述する。第１実施形態のプロテクター１３は、図４（ａ）及び図４（ｂ）に示すごとく、断面がほぼＬ字状の本体１４と、その本体の一側の内面から一体的に突出した突条１５とからなる。
【００２３】
このプロテクター１３の本体１４は、左右の各側枠体２における第２部材２ｂの外側面ＯＳと前側面ＦＳとに跨がり、且つ前側面ＦＳ側の幅方向の中途部に本体１４の一方の端縁１６ａがあって、第２部材２ｂの内側面ＩＳまで突出していない寸法に形成されている。換言すると、第２部材２ｂの幅寸法Ｈ１よりも本体１４の一方の辺１４ａ（第２部材２ｂの前側面ＦＳに沿って当接する辺）の幅寸法Ｈ２が短く形成されている（図６参照）。また、第２部材２ｂの外側面ＯＳに沿って当接し、後向きに延びる他方の辺１４ｂの後端縁１６ａは断面が丸く形成されている。
【００２４】
このプロテクター１３を第２部材２ｂに固定するに際して、当該第２部材２ｂの適宜高さ位置の（図示しない机天板の高さ位置に対応する）前側面ＦＳには、係合突起の一例としての細長い突条１５が嵌合できる取付け孔としての嵌合溝１７が予め凹み形成されている（図５及び図６参照）。この嵌合溝１７に前記突条１５を押し込み固定する。さらに強固に固定するには、本体１４の内面が第２部材２ｂの外側面ＯＳ及び前側面ＦＳに当接させた後、内側面ＩＳ側からねじ込んだビス（ネジ）１９が少なくとも突条１５に到達させても良い。好ましくは、ビス（ネジ）１９の先端が突条１５を貫通させるようにする。これらの場合も、ビス（ネジ）１９の頭が内側面ＩＳから突出しないように第２部材２ｂの取付け孔の表面位置に皿座ぐり１８を形成することが好ましい（図６参照）。
【００２５】
図８（ａ）に示すように、本体１４の他方の辺１４ｂの外面側からビス（ネジ）１９を第２部材２ｂにねじ込んで固定しても良く、その場合も、ビス（ネジ）１９の頭が辺１４ｂの外側面から突出しないように皿座ぐり１８を形成することが好ましい。
【００２６】
突条１５を嵌合溝１７に押し込むときの抵抗（摩擦力）を少なくするために、図４に開示ているように、突条１５の長手側面に適宜間隔でリブ１５ａを形成して良い。また、前記嵌合溝１７を突条１５の長さより長く形成することにより（図５参照）、衝突する相手の机天板の高さに応じて、嵌合溝１７に対する突条１５の押し込み位置を上下に変更してプロテクター１３の取付け高さ位置を変更することができる。その場合、ビス（ネジ）１９の取付け孔２０を第２部材２ｂの上下複数位置に予め設けておけば良い。
【００２７】
プロテクター１３を第２部材２ｂから脱落不能とする固定手段としては、前記突条１５を嵌合溝１７に無理やり嵌合させる（図７（ａ）の点線部参照）他、前記突条１５の表面や本体１４の内面等に図示しない接着剤を塗布して第２部材２ｂの外側面ＯＳと前側面ＦＳとに当接させて接着固定しても良い。
【００２８】
第２実施形態のプロテクターとして、図７（ｂ）に示すように、第２部材２ｂの前側面ＦＳに当接させて覆う前プロテクター片２１と、外側面ＯＳに当接させて覆う外プロテクター片２２との２つに分離したものである。この場合も、前プロテクター片２１の幅寸法Ｈ３を第２部材２ｂの幅寸法Ｈ１よりも短く設定し、且つ、その前プロテクター片２１の一側端縁２１ａが前側面ＦＳからはみ出さないようにする。前プロテクター片２１及び外プロテクター片２２は、それぞれ前側面ＦＳ、外側面ＯＳに対して接着剤またはビスにて固定すれば良い。
【００２９】
第３実施形態のプロテクターとして、図７（ｃ）に示すように、第２部材２ｂの適宜高さ位置の箇所の前側面ＦＳと外側面ＯＳとの交差部（角部）を切欠いて凹所２３を形成し、プロテクター２４は、第２部材２ｂの前側面ＦＳから凹所２３を介して外側面ＯＳに跨がるように形成する。この場合も、プロテクター２４は、それぞれ前側面ＦＳ、凹所２３、外側面ＯＳに対して接着剤またはビスにて固定すれば良い。
【００３０】
第４実施形態のプロテクターとして、図７（ｄ）に示すように、第２部材２ｂの適宜高さ位置の箇所の前側面ＦＳと内側面ＩＳとの交差部（角部）には、第２部材２ｂの内側面ＩＳまでの深さ寸法ΔＨの凹所２５を形成し、断面コ字型のプロテクター２６は、前記凹所２５から前側面ＦＳを介して外側面ＯＳまでの適宜高さ箇所を覆うように形成されているものである。その場合のプロテクター２６の内側片２６ａの厚さ寸法Ｈ４は前記深さ寸法ΔＨに等しいか、より薄く形成されている。プロテクター２６の固定手段は前記第２及び第３実施形態と同様である。
【００３１】
第５実施形態のプロテクターとして、図７（ｅ）に示すように、第２部材２ｂの適宜高さ位置の箇所の前側面ＦＳと内側面ＩＳとの交差部（角部）には、前側面ＦＳに行くに従って深さが深くなる傾斜面２９を形成し、断面コ字型のプロテクター２７は前記傾斜面２９から前側面ＦＳを介して外側面ＯＳまでの適宜高さ箇所を覆うように形成されているものである。そして、傾斜面２９を覆う内プロテクター片２７ａの外面が内側面ＩＳとほぼ面一になるように断面三角状に形成され、好ましくは外プロテクター片２７ｂも先端縁に行くに従って厚さの薄い断面三角状（図７（ｅ）の二点鎖線参照）に形成する。この実施形態におけるプロテクター２７の固定手段も前記第２及び第３実施形態と同様である。
【００３２】
図８（ｂ）に示す第６実施形態は、第４実施形態の変形例であり、第２部材２ｂの適宜高さ位置の箇所の前側面ＦＳと内側面ＩＳとの交差部（角部）には、第２部材２ｂの内側面ＩＳまでの深さ寸法ΔＨの凹所３１を形成し、断面コ字型のプロテクター３０は、前記凹所３１から前側面ＦＳを介して外側面ＯＳまでの適宜高さ箇所を覆うように形成されているものである。その場合のプロテクター３０の内側片３０ａの厚さ寸法Ｈ４は前記深さ寸法ΔＨに等しいか、より薄く形成されている。また、プロテクター３０の内側片３０ａは硬質材料、前側片３０ｃ及び外側片３０ｂは軟質材料からなる２色一体成形品とする。プロテクター３０の固定手段は前記第２及び第３実施形態と同様である。
【００３３】
前記各実施形態のように構成すれば、椅子１の座板３を机天板の下方に押し込むように椅子１を前進させたとき、側枠体２の前部である第２部材２ｂの前面に固定されたプロテクター１３、２１、２２、２４、２６、２７、３０が机天板の前縁に当接するので、当該机天板の前縁表面及び側枠体２の前側面ＦＳが傷つかず、また大きな衝突音も発生しない。また、本発明に係るプロテクター１３、２１、２２、２４、２６、２７、３０は少なくとも側枠体２の前部である第２部材２ｂの前側面ＦＳ及び外側面ＯＳの一部を覆うように配置されているので、椅子１を斜めに押し込んだ場合にも、前記前面及び外側面とのコーナ部がプロテクターで保護されることになり、傷付かないのである。
【００３４】
前記第２〜第６実施形態においてプロテクターの内面に突条１５等の係合突起部を備えない場合には、側枠体２の前部である第２部材２ｂに取付け用の溝を不要にできると共に、ビスによる固定の高さ位置を任意に変更することができ、且つプロテクターを強固に固定することができる。
【００３５】
しかも、本発明に係るプロテクター１３、２１、２２、２４、２６、２７、３０はいずれも、椅子の平面視において座板３側に突出していない、即ち第２部材２ｂ（側枠体２）の内側面ＩＳから突出していないから、座板３から立ち上がる人の衣服や皮膚等が前記プロテクターの内側の端縁に引っ掛かることがない。
【００３６】
図８（ｃ）に示す第７実施形態では、第２部材２ｂの前側面ＦＳの幅寸法を基部側の第２部材２ｂの幅寸法Ｈ１より狭くするように、段部部を設ける。一方、プロテクター３２は断面コ字型であり、且つ前側面ＦＳに近い側の幅寸法Ｈ５は基部側の第２部材２ｂの幅寸法Ｈ１より大きくなるように形成し、プロテクター３２の内側及び外側の自由端縁３２ａ、３２ｂ（第２部材２ｂの内側面ＩＳ及び外側面ＯＳと接触端縁部位）の厚さが薄くなるよう断面傾斜状に形成されている。
【００３７】
このように形成しても、座板３から立ち上がる人の衣服や皮膚等がプロテクター３２の内側の端縁に引っ掛かることがないし、プロテクター３２の外側の端縁も、他の物に引っ掛からない。
【００３８】
プロテクター１３、２１、２２、２４、２６、２７、３２はポリエチレン（ＰＥ）、ポリプロピレン（ＰＰ）、エチレン酢酸ビニル樹脂（ＥＶＡ）等の熱可塑性合成樹脂材の射出成形品であり、半硬質もしくは軟質である。
【００３９】
第２部材２ｂ（側枠体２）の内側面ＩＳに沿うプロテクターの部分を硬質合成樹脂製にすれば、硬質部材の方が摩擦係数が小さく、滑り易いから、一層人の衣服や皮膚等の引っ掛かり感を少なくすることができる。
【００４０】
本発明におけるプロテクターを第２部材２ｂ（側枠体２）に固定する固定手段としては、前記のビス、ねじ、接着剤、突起の他、楔体、リブ等も有る。
【図面の簡単な説明】
【００４１】
【図１】本発明に係る椅子の左側面図である。
【図２】椅子の正面図である。
【図３】図２の III−III 線矢視断面図である。
【図４】（ａ）は第１実施形態のプロテクターの斜視図、（ｂ）は端面図である。
【図５】プロテクター取付け箇所の斜視図である。
【図６】プロテクターを取付けした状態の拡大断面図である。
【図７】（ａ）は第１実施形態の変形例を示す断面図、（ｂ）は第２実施形態の断面図、（ｃ）は第３実施形態の断面図、（ｄ）は第４実施形態の断面図、（ｅ）は第５実施形態の断面図である。
【図８】（ａ）は第１実施形態の変形例を示す断面図、（ｂ）は第６実施形態の断面図、（ｃ）は第７実施形態の断面図である。
【符号の説明】
【００４２】
１  椅子
２  側枠体
２ａ  第１部材
２ｂ  第２部材
２ｃ  第３部材
３  座板
４  背もたれ
５  足載せ台
１３、２１、２２、２４、２６、２７、３０、３２    プロテクター
１５  係合突起としての突条
１７  取付け孔としての嵌合溝
１９    ビス（ネジ）
２３、２５、３１    凹所
【図１】
2006014986.tif 000003
【図２】
2006014986.tif 000004
【図３】
2006014986.tif 000005
【図４】
2006014986.tif 000006
【図５】
2006014986.tif 000007
【図６】
2006014986.tif 000008
【図７】
2006014986.tif 000009
【図８】
2006014986.tif 000010